(57)【要約】      （修正有）【課題】外観を損なうことなく一組の靴をコンパクトに収納可能な靴収納ケースを提供する。【解決手段】四角形状の一対の天面板１１および底面板と、右側面板１５と、前記右側面板１５と対向して設けられる左側面板と、背面板と、前記背面板と対向して設けられる正面板１３と、を有する靴収納ケース１０であって、前記正面板１３は、前記正面板１３の対角線を境界に、第１収納部側正面板と第２収納部側正面板とに分割されており、対角線に沿って傾斜した状態で靴収納ケースの内部に設けられる仕切板を有し、前記仕切板は、靴収納ケースの内部を第１収納部と第２収納部とに分割し、前記第１収納部側正面板は、前記第１収納部に収納される靴が外部から視認可能な素材により構成され、前記第２収納部側正面板は、前記第２収納部に収納される靴が外部から視認できない素材により構成される。【選択図】図１
2018121788.tif 000002
【特許請求の範囲】
【請求項１】
四角形状の一対の天面板および底面板と、右側面板と、前記右側面板と対向して設けられる左側面板と、背面板と、前記背面板と対向して設けられる正面板と、を有する靴収納ケースであって、
前記正面板は、前記正面板の対角線を境界に、第１収納部側正面板と第２収納部側正面板とに分割されており、
前記対角線に沿って傾斜した状態で靴収納ケースの内部に設けられる仕切板を有し、
前記仕切板は、靴収納ケースの内部を第１収納部と第２収納部とに分割し、
前記第１収納部側正面板は、前記第１収納部に収納される靴が外部から視認可能な素材により構成され、
前記第２収納部側正面板は、前記第２収納部に収納される靴が外部から視認できない素材により構成される、
靴収納ケース。
【請求項２】
請求項１に記載の靴収納ケースにおいて、
前記第１収納部は、前記右側面板と前記左側面板とのいずれか一方と、前記底面板と、前記第１収納部側正面板と、前記背面板と、前記仕切板に囲われることで形成され、
前記第２収納部は、前記第１収納部を囲う前記右側面板または前記左側面板とのいずれかと対向する前記右側面板または前記左側面板と、前記天面板と、前記第２収納部側正面板と、前記背面板と、前記仕切板とに囲われることで形成される、
靴収納ケース。
【請求項３】
請求項１に記載の靴収納ケースにおいて、
前記背面板は、前記背面板の対角線を境界に、第１収納部側背面板と第２収納部側背面板とに分割されており、
前記第１収納部は、前記右側面板と前記左側面板とのいずれか一方と、前記底面板と、前記第１収納部側正面板と、前記背面板と、前記仕切板に囲われることで形成され、
前記第２収納部は、前記第１収納部を囲う前記右側面板または前記左側面板とのいずれかと対向する前記右側面板または前記左側面板と、前記天面板と、前記第２収納部側正面板と、前記背面板と、前記左側面板と、前記仕切板とに囲われることで形成され、
前記第１収納部を囲う前記右側面板と前記左側面板とのいずれか一方と、前記底面板と、前記第１収納部側正面板と、前記背面板とは、前記第１収納部に収納される靴が外部から視認可能な素材により構成され、
前記第２収納部を囲う前記第１収納部を囲う前記右側面板または前記左側面板とのいずれかと対向する前記右側面板または前記左側面板と、前記天面板と、前記第２収納部側正面板と、前記背面板と、前記左側面板とは、前記第２収納部に収納される靴が外部から視認できない素材により構成される、
靴収納ケース。
【請求項４】
請求項１に記載の靴収納ケースにおいて、
前記第２収納部側正面板の底面側の角には取っ手が設けられ、
前記正面板は、前記取っ手が引き上げられることで正面から靴を取り出しおよび収納が可能な位置まで開けられる、
靴収納ケース。
【請求項５】
請求項１に記載の靴収納ケースにおいて、
前記第２収納部側正面板の天面側の中心部には取っ手が設けられ、
前記正面板は、前記取っ手が引き下げられることで正面から靴を取り出しおよび収納が可能な位置まで開けられる、
靴収納ケース。
【請求項６】
請求項１に記載の靴収納ケースにおいて、
前記正面板の裏面と、前記天面板の裏面と、左側面板の裏面と、前記仕切板の天面と、前記第２収納部側背面板の裏面とのいずれか一つ以上に緩衝材が設けられている、靴収納ケース。
【請求項７】
請求項１に記載の靴収納ケースにおいて、
前記底面板には、底面側レール部が設けられ、
前記天面板の中央には、前記天面側レール部が挿入される天面側ガイド部が設けられる、
靴収納ケース。
【請求項８】
請求項１に記載の靴収納ケースにおいて、
前記右側面板と前記左側面板とのいずれかの中央には、横断面がＴ字形状の側面側レール部が設けられ、
前記側面側レール部が設けられる前記右側面板または前記左側面板とのいずれかと対向する前記右側面板または前記左側面板の中央には、逆Ｔ字形状の空間が形成される側面側ガイド部が設けられる、
靴収納ケース。
【発明の詳細な説明】
【技術分野】
【０００１】
本発明は、靴収納ケースに関する。
【背景技術】
【０００２】
靴を収納する靴収納ケースとして、一方の靴と他方の靴とを向かい合わせにして収納する靴収納ケースが知られている。
【０００３】
特開平１０−３２７９２１号公報（特許文献１）には、「靴を収納し得る大きさの上部が開口した箱体の一側上縁に、この箱体内に収納する中仕切板を起伏自在に連設し、前記中仕切板を傾斜状態にして前記箱体に収納した際、この中仕切板の下部に一方の靴を収納し、且つこの中仕切板の上部に他方の靴を収納して、一組の靴が中仕切板を介して箱体内に収納し得るように構成した」靴収納ケースが記載されている。
【先行技術文献】
【特許文献】
【０００４】
【特許文献１】特開平１０−３２７９２１号公報
【発明の概要】
【発明が解決しようとする課題】
【０００５】
特許文献１に記載されている技術では、一組の靴をコンパクトに収納できる。しかしながら、特許文献１に記載されている技術では、箱体に窓を設け、この窓から箱体内に収納されている一組の靴を視認できるように構成されている。そのため、特許文献１に記載されている技術では、箱体内の中仕切板の上部に、一方の靴と前後の向きが逆になった靴が視認され、外観を損なうという問題があった。
【０００６】
本発明の目的は、外観を損なうことなく一組の靴をコンパクトに収納可能な靴収納ケースを提供することである。
【課題を解決するための手段】
【０００７】
本発明の一実施の形態における靴収納ケースは、四角形状の一対の天面板および底面板と、右側面板と、前記右側面板と対向して設けられる左側面板と、背面板と、前記背面板と対向して設けられる正面板と、を有する靴収納ケースであって、前記正面板は、前記正面板の対角線を境界に、第１収納部側正面板と第２収納部側正面板とに分割されている。また、前記対角線に沿って傾斜した状態で靴収納ケースの内部に設けられる仕切板を有する。また、前記仕切板は、靴収納ケースの内部を第１収納部と第２収納部とに分割する。また、前記第１収納部側正面板は、前記第１収納部に収納される靴が外部から視認可能な素材により構成され、前記第２収納部側正面板は、前記第２収納部に収納される靴が外部から視認できない素材により構成される。
【発明の効果】
【０００８】
本発明によれば、外観を損なうことなく一組の靴をコンパクトに収納できる。
【図面の簡単な説明】
【０００９】
【図１】本発明の一実施の形態における靴収納ケースの構造の一例を示す斜視図である。
【図２】図１に示す靴収納ケースの構造の一例を示す正面図である。
【図３】図１に示す靴収納ケースの構造の一例を示す左側面図である。
【図４】図１に示す靴収納ケースの構造の一例を示す右側面図である。
【図５】本発明の一実施の形態における複数の靴収納ケースを連結した状態を示す底面図である。
【図６】図１に示す靴収納ケースの構造の一例を示す正面図である。
【図７】図１に示す靴収納ケースの構造の一例を示す斜視図である。
【図８】本発明の一実施の形態における複数の靴収納ケースを連結した状態を示す正面図である。
【図９】本発明の他の実施の形態における靴収納ケースの構造の一例を示す斜視図である。
【図１０】本発明の他の実施の形態における靴収納ケースの構造の一例を示す斜視図である。
【図１１】図１０に示す靴収納ケースの構造の一例を示す斜視図である。
【発明を実施するための形態】
【００１０】
以下、本発明の実施の形態を、図面を用いて詳細に説明する。
【００１１】
図１〜図８に示す本発明の一実施の形態における靴収納ケース１０は、箱形状であり、四角形状の一対の天面板１１および底面板１２と、これら天面板１１および底面板１２を上下方向に連結する左側面板１６および右側面板（左側面板１６に対向して設けられる）１５と、背面板１４と、背面板１４と対向して設けられる正面板１５とを有する。また、靴収納ケース１０が有する天面板１１と、底面板１２と、正面板１３と、背面板１４と、右側面板１５と、左側面板１６は、四角形状であり、樹脂（アクリル樹脂など）や厚紙やガラスなどで構成される。
【００１２】
底面板１２は、短手方向の一方の辺が右側面板１５の幅方向（短手方向）の一方の辺と連結され、短手方向の他方の辺が左側面板１６の幅方向（短手方向）一方の辺と連結される。また底面板１２は、長手方向の一方の辺が背面板１４の幅方向（長手方向）の一方の辺と連結される。
【００１３】
天面板１１は、短手方向の一方の辺が右側面板１５の幅方向（短手方向）の他方の辺と連結され、短手方向の他方の辺が左側面板１６の幅方向（短手方向）他方の辺と連結される。また天面板１１は、長手方向の一方の辺が背面板１４の幅方向（長手方向）の他方の辺と連結される。
【００１４】
正面板１３には、右側面板軸部３１０が設けられる。右側面板軸部３１０は、底面板１２側であって右側面板１５側の端に設けられる。また、正面板１３には、左側面板軸部３２０が設けられる。左側面板軸部３２０は、底面板１２側であって左側面板１６側の端に設けられる。正面板１３は、右側面板軸部３１０と左側面板軸部３２０とを軸に、開閉自在に設けられる。
【００１５】
靴収納ケース１０の天面板１１および底面板１２は、長手方向の長さが１３ｃｍ〜２５ｃｍであり、短手方向の長さが５ｃｍ〜１２ｃｍである。
【００１６】
靴収納ケース１０の正面板１３および背面板１４は、幅方向（長手方向）の長さが、１３ｃｍ〜２５ｃｍであり、高さ方向（短手方向）の長さが８ｃｍ〜４０ｃｍである。
【００１７】
靴収納ケース１０の右側面板１５および左側面板１６は、幅方向（短手方向）の長さが５ｃｍ〜１２ｃｍであり、高さ方向（長手方向）の長さがが８ｃｍ〜４０ｃｍである。
【００１８】
また、天面板１１と、底面板１２と、正面板１３と、背面板１４と、右側面板１５と、左側面板１６の厚みは０．５ｍｍ〜３０ｍｍである。
【００１９】
靴収納ケース１０は、一方の靴２００ａを収納する第１収納部１１０と、第１収納部１１０の上方に設けられ他方の靴２００ｂを収納する第２収納部１２０と、第１収納部１１０と第２収納部１２０とを仕切る仕切板１３０とを有する。
【００２０】
第１収納部１１０には、一方の靴２００ａが底面板１２に載置されることで収納される。第２収納部１２０には、他方の靴２００ｂが、一方の靴２００ａと前後の向きが逆になった状態で収納される。これによって、一組の靴２００ａ，ｂが靴収納ケース１０内にコンパクトに収納される。
【００２１】
正面板１３は、正面板１３の天面板側の角と底面板側の角とを結ぶ対角線を境界に、第１収納部側正面板１３ａと第２収納部側正面板１３ｂとに分割されている。第１収納部側正面板１３ａと第２収納部側正面板１３ｂとはともに、正面板１３の対角線を斜辺とする直角三角形状である。
【００２２】
第１収納部側正面板１３ａは、外部から第１収納部１１０に収納される靴２００ａが外部から視認可能な素材（ガラスや、メタルフォーム（泡状金属）や、エアロゲルや、グラフェンや、透明アルミニウムや、外部から靴２００ａを視認可能な透明度の樹脂や、これらの素材を組み合わせた素材など）により構成される。これによって、第１収納部１１０に収納される靴２００ａは、第１収納部側正面板１３ａを介して視認される。
【００２３】
一方、第２収納部側正面板１３ｂは、第２収納部１２０に収納される靴２００ｂが外部から視認できない素材（着色（１色に限らず、複数の色を組み合わせたものを含み、さらに柄が描かれるものや、模様が描かれるものも含む）されたガラスや、金属、木、外部から靴２００ｂを視認できない透明度の樹脂など）により構成される。
【００２４】
また、背面板１４は、背面板１４の天面板側の角と底面板側の角とを結ぶ対角線を境界に、第１収納部側背面板１４ａと第２収納部側背面板１４ｂとに分割されている。第１収納部側背面板１４ａと第２収納部側背面板１４ｂとはともに、背面板１４の対角線を斜辺とする直角三角形状である。
【００２５】
仕切板１３０は、背面板１４の天面板側の角と底面板側の角とを結ぶ対角線に沿って傾斜した状態で靴収納ケース１０の内部に設けられる。仕切板１３０は、靴収納ケース１０の内部を、第１収納部１１０と第２収納部１２０とに分割する。
靴収納ケース１０の内部に設けられる仕切板１３０は、長手方向の長さが１５ｃｍ〜４８ｃｍであり、短手方向の長さが５ｃｍ〜１２ｃｍである。
【００２６】
第１収納部１１０は、右側面板１５と左側面板１６とのいずれか一方と、底面板１２と、第１収納部側正面板１４ａと、背面板１４と、仕切板１３０に囲われることで形成される。図１〜図９に示される例では、第１収納部１１０は、底面板１２と、第１収納部側正面板１３ａと、第１収納部側背面板１４ａと、右側面板１５と、仕切板１３０に囲われることで形成される。
【００２７】
第２収納部１２０は、第１収納部１１０を囲う右側面板１５または左側面板１６とのいずれかと対向する右側面板１５または左側面板１６と、天面板１１と、第２収納部側正面板１３ｂと、背面板１４と、仕切板１３０とに囲われることで形成される図１〜図９に示される例では、第２収納部１２０は、天面板１１と、第２収納部側正面板１３ｂと、第２収納部側背面板１４ｂと、左側面板１６と、仕切板１３０に囲われることで形成される。
【００２８】
なお、第１収納部側背面板１４ａの内部側の面（靴が収納される側の面）には、柄や絵が描かれるようにしても良い。これによって、第１収納部側正面板１３ａを介して、第１収納部側背面板１４ａに描かれた柄や絵を視認でき、デザイン性を向上できる。
第２収納部側正面板１３ｂと、第２収納部側背面板１４ｂは、第２収納部１２０に収納される靴２００ｂが外部から視認できない素材により構成される。これによって、第１収納部１１０に収納される靴２００ｂは外部から視認されない。なお、第２収納部側正面板１３ｂに柄や絵が描かれるようにしても良い。
【００２９】
第２収納部側正面板１３ｂの底面側の角には、取っ手３３０が設けられる。そして、図４に示されるように、正面板１３は、右側面板軸部３１０と左側面板軸部３２０とを軸に開閉可能に構成される。正面板１３は、閉じられた状態から取っ手３３０が上方に引き上げられることで、右側面板軸部３１０と左側面板軸部３２０とを軸に正面から靴を取り出しおよび収納が可能な位置まで開けられる。その後、正面板１３は、取っ手３３０が下方に引き下げられることで、右側面板軸部３１０と左側面板軸部３２０とを軸に靴収納ケース１０は閉じられた状態になる。
【００３０】
靴収納ケース１０の右側面板１５の中央には、横断面がＴ字形状の側面側レール部４１が設けられる。また、靴収納ケース１０の左側面板１６の中央には、逆Ｔ字形状の空間である側面側ガイド部４２が設けられる。一方の靴収納ケース１０の左側面板１６の投影面と、他方の靴収納ケース１０の右側面板１５の投影面とが互いに重なる位置に並べられた場合、側面側レール部４１と側面側ガイド部４２とは互いに対抗する。
【００３１】
一方の靴収納ケース１０のＴ字形状の側面側レール部４１は、他方の靴収納ケース１０の側面側ガイド部４２に形成される逆Ｔ字形状の空間に挿入される。これによって、一方の靴収納ケース１０と他方の靴収納ケース１０とが互いに隣接した状態で固定される。
【００３２】
靴収納ケース１０の天面板１１には、縦断面がＴ字形状の天面側レール部５２が設けられる。天面側レール部５２は、天面板１１の中央領域に設けられる。天面側レール部５２は、矩形状の頭部５２ａと、天面板１１と頭部５２ａとを連結する四角柱状の連結部５２ｂとを有する。
【００３３】
また、靴収納ケース１０の天面板１１の中央には、Ｌ字形状の空間である底面側ガイド部５１が設けられる。底面側ガイド部５１は、上方に開口した挿入部５１ａと、ガイド部５１ｃと、ガイド部５１ｃの上方に設けられ底面側レール部の頭部５１ａを抑さえつけるための爪部５１ｂとを有する。
【００３４】
天面側レール部５２の頭部５２ａの幅は、底面側ガイド部５１の挿入部５１ａの幅よりも狭くなっている。一方の靴収納ケースの底面側レール部５１の挿入部５１ａから挿入された、他方の靴収納ケース１０の底面側ガイド部５１の頭部５１ａをガイド部５１ｃにスライドさせることで、一方の靴収納ケース１０が一方の靴収納ケース１０に載置された状態で固定される。一方の靴収納ケース１０のガイド部５１ｃまでスライドされた他方の靴収納ケース１０は、天面側レール部５２の頭部５２ａを抑さえつけられた状態で固定される。
【００３５】
図８に示されるように。複数の靴収納ケース１０は、互いに隣接した状態で固定される。また、各靴収納ケース１０は、靴２００ａおよび靴２００ｂを収納した状態で何段にも摘みかねることができる。
靴収納ケース１０は、背面板１４を貫通するボルト１４０ａ〜ｄにより、壁などに固定される。
【００３６】
第２収納部側背面板１４ｂの各内角には、ボルト１４０ａ〜ｃが挿入される３つの孔（不図示）が設けられる。これによって、３本のボルト１４０ａ〜ｃについては、第２収納部側正面板１３ｂにより隠され、外部から視認されず、デザイン性を向上できる。
【００３７】
また、背面板１４の、第１収納部側背面板１４ａの内角（直角部分の内角）には、ボルト１４０ｄが挿入される孔（不図示）が設けられる。ボルト１４０ｄは第２収納部側背面板１４ｂに挿入される他のボルト１４０ａ〜ｃと異なり、頭部に宝石や花などの装飾が施される。ボルト１４０ｄについては、第１収納部側正面板１４ａを介して視認されるため、頭部に装飾が施されることで、デザイン性を向上できる。
【００３８】
図７に示されるように、正面板１３の裏面には緩衝材１３１が、天面板１１の裏面には緩衝材１３２が、左側面板１６の裏面には緩衝材１３３が設けられている。また、図示はしていないものの仕切板１３０の天面と、第２収納部側背面板１４ｂの裏面にも緩衝材が設けられている。これによって、第２収納部１２０に収納される靴２００ｂが、正面板１３の裏面、天面板１１の裏面、左側面板１６の裏面、第２収納部側背面板１４ｂの裏面、仕切板１３０の天面側と直接触れ合うことを防止できる。そして、正面板１３の裏面、天面板１１の裏面、左側面板１６の裏面、第２収納部側背面板１４ｂの裏面とのいずれかと、仕切板１３０の天面側とがこすれ合うことで、第２収納部１２０に収納される靴２００ｂが傷つくことを防止できる。なお、緩衝材１３１〜１３３および仕切板１３０の天面側と、第２収納部側背面板１４ｂの裏面に設けられる緩衝材はいずれもシート状である。
【００３９】
なお、図９に示されるように、取っ手３３０が天面側の中心部に設けられるようにしても良い。この場合、正面板１３は、閉じられた状態から取っ手３３０が下方に引き下げられることで、右側面板軸部３１０と左側面板軸部３２０とを軸に正面から靴を取り出しおよび収納が可能な位置まで開けられる。その後、正面板１３は、取っ手３３０が上方に引き上げられることで、右側面板軸部３１０と左側面板軸部３２０とを軸に靴収納ケース１０は閉じられた状態になる。
【００４０】
また、第２収納部側正面板１３ｂの天面側の中心部または底面側の角部に指掛穴を設けるようにしても良い。これによって、指掛穴に指を掛けて正面板１３０を引下げることができる。また、第１収納部側正面板１３ａの底面側の中心部に指掛穴を設けるようにしても良い。これによって、指掛穴に指を掛けて正面板１３０を引上げることができる。
また、円柱形状の棒が、底面板１２の右側面板１５側の端から左側面板１６側の端までを貫通することで、右側面板側軸部３１０と左側面板側軸部３２０とが一体で形成されるようにしても良い。
【００４１】
また、図１０に示されるように、レール部５１０が底面１２に設けられえるようにしても良い。この場合、図１１に示されるように、レール部５１０が挿入されるガイド部５２０は、天面板１１に設けられる。
【００４２】
本発明は、上記実施の形態に限定されるものではなく、その要旨を逸脱しない範囲で種々変更可能であることは言うまでもない。また、上記した実施の形態は本発明を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００４３】
１０…靴収納ケース、１１…天面板、１２…底面、１３…正面板、１４…背面板、１５…右側面板、１６…左側面板、
１１０…第１収納部、１２０…第２収納部、１３０…仕切板。
【図１】
2018121788.tif 000003
【図２】
2018121788.tif 000004
【図３】
2018121788.tif 000005
【図４】
2018121788.tif 000006
【図５】
2018121788.tif 000007
【図６】
2018121788.tif 000008
【図７】
2018121788.tif 000009
【図８】
2018121788.tif 000010
【図９】
2018121788.tif 000011
【図１０】
2018121788.tif 000012
【図１１】
2018121788.tif 000013